(57)【要約】【課題】アンダーシャツ等の衣類において、肩継ぎ部の肩継ぎテープと首回りテープの厚みが増大しないように肩継ぎテープを途中から挿入して縫製する方法とこれを使用した衣類を提供することにある。【解決手段】首回り部１が形成され第１肩継ぎ部と第２肩継ぎ部が開放され、前身頃Ｆと後身頃Ｂとを一体に編成した衣類本体Ｄを裏返しにする工程と、前身頃Ｆと後身頃Ｂと積層し、前身頃Ｆの上に第１肩テープＴ１を重ねながら第１肩継ぎ部を縫製する工程と、前身頃Ｆと後身頃Ｂと一平面上に展開して首回り部１にテープＴ２を重ねながら１周するように縫製する工程と、首回りテープ端部をバックタック縫いＢＴする工程と、前身頃Ｆと後身頃Ｂとの積層端部に第２肩テープＴ３を斜めに挿入する工程と、首回りテープＴ２に第２肩テープＴ３の一部を重ねながら第２肩部３を首回り部から肩端部に向かって縫製する工程とからなる肩継ぎ部の縫製方法及びこの縫製方法を用いた衣類を構成する。【選択図】　　　図９
2004076168.tif 000002
【特許請求の範囲】
【請求項１】
首回り部が形成され第１肩継ぎ部と第２肩継ぎ部が開放され、前身頃と後身頃とを一体に編成した衣類本体を裏返しにする工程と、前記前身頃と後身頃と積層し、前記前身頃の上に第１肩テープを重ねながら第１肩継ぎ部を縫製する工程と、前記前身頃と後身頃と一平面上に展開して前記首回りにテープを重ねながら１周するように縫製する工程と、前記首回りテープ端部をバックタック縫いする工程と、前記前身頃と後身頃との積層端部に第２肩テープを斜めに挿入する工程と、前記首回りテープに前記第２肩テープの一部を重ねながら第２肩部を首回り部から肩端部に向かって縫製する工程とからなることを特徴とする肩継ぎ部の縫製方法。
【請求項２】
前記前身頃と後身頃との積層端部に第２肩テープを斜めに挿入する工程と、前記首回りテープに前記第２肩テープの一部を重ねながら第２肩部を首回り部から肩端部に向かって縫製する際に、前記首回り端部と第２肩テープ端部を切断しながらオーバーロック縫いしてなる請求項１に記載の肩継ぎ部の縫製方法。
【請求項３】
前身頃の上に第１肩テープを重ねながら第１肩継ぎ部が縫製された第１肩部と、首回りにテープを重ねながら１周するように縫製されバックタック縫いされた首回り部と、前記前身頃と後身頃との積層端部に第２肩テープを斜めに挿入され、前記首回りテープに前記第２肩テープの一部を重ねながら縫製された第２肩部とからなることを特徴とする衣類。
【発明の詳細な説明】
【０００１】
【発明の属する技術分野】
本発明は、衣類の肩継ぎ部の縫製方法及びこの縫製方法によって製造された衣類に関する。
【０００２】
【従来の技術】
肌着等の衣類を縫製する際に、図１、図１０に示すように、一般に、丸編機で編成された筒編地において、首回り部１が裁断されて形成され、第１肩継ぎ部２と第２肩継ぎ部３と袖部４，４が裁断されて開放され、前身頃Ｆと後身頃Ｂとを一体に編成した衣類本体Ｄを裏返しにする。
【０００３】
次いで、図１０、図１１に示すように、前身頃Ｆと後身頃Ｂとの中心線Ｃで折り返して両身頃Ｆ，Ｂを積層し、前身頃Ｆの上に第１肩テープＴ１を重ねながら第１肩部５を肩端部Ｓから首回りＮに向かって又は首回りＮから肩端部Ｓに向かって縫製する。
【０００４】
その後、前身頃Ｆと後身頃Ｂとを一平面上に展開し、首回りＮにテープＴ２を挟み込むようにして重ねながら１周するように首回りを縫製し、首回りテープＴ２の前身頃Ｆと後身頃Ｂの積層端部からはみでた部分を適当な長さを残して切断する。
【０００５】
次いで、図１１、図１２に示すように、前身頃Ｆと後身頃Ｂとを積層し、前身頃Ｆと後身頃Ｂとの積層端部で前身頃Ｆの上に第２肩テープＴ３を重ねながら第２肩部３を首回りＮから肩端部に向かって縫製した後、第２肩テープＴ３の端部を首回りのテープＴ２上から折り返し、図１３、図１４に示すように、この折り返し部分に四隅が折り曲げられた４角形の当て布Ｐを重ねてその上から縫製している。
【０００６】
しかしながら、第２肩テープＴ３の端部を首回りにテープＴ２上から折り返して縫製するので、首回りテープの重合縫着部は、重ね枚数が多く、分厚くなり、肌に対してごろつきやすく不快感を生じさせる。そこでこの折り返し部分に綿テープを適宜の大きさに裁断して両端又は四隅を折り、当て布Ｐを形成し縫合部に重ねて周囲を四角形に本縫いミシンで縫製する。
特に、当て布Ｐを当てた縫合部は、後述するように、首テープの最大重ね枚数が５枚、身生地が１枚で、合計６枚になり、これが折り重なると、合計１２枚になる。更に、肩テープが２枚、肩テープの折り返しが２枚と当て布が１枚重なると５枚になり、総合計１７枚の重ね合わせ枚数になる。
【０００７】
テープの重ね縫い作業に加えて当て布を重ねて縫合することによる作業は、製造工程が煩雑で作業能率が悪く、製造コストがかさむ欠点があった。
【０００８】
【発明が解決しようとする課題】
本発明は、前記のような課題を解決するためになされたものであって、アンダーシャツ等の衣類において、肩継ぎ部の肩継ぎテープと首回りのテープの厚みが増大しないように肩継ぎテープを途中から挿入して縫製する方法とこれを使用した衣類を提供することにある。
【０００９】
【課題を解決するための手段】
本発明の第１の課題解決の手段は、首回り部が形成され第１肩継ぎ部と第２肩継ぎ部が開放され、前身頃と後身頃とを一体に編成した衣類本体を裏返しにする工程と、前記前身頃と後身頃と積層し、前記前身頃の上に第１肩テープを重ねながら第１肩継ぎ部を縫製する工程と、前記前身頃と後身頃と一平面上に展開して前記首回りにテープを重ねながら１周するように縫製する工程と、前記首回りテープ端部をバックタック縫いする工程と、前記前身頃と後身頃との積層端部に第２肩テープを斜めに挿入する工程と、前記首回りテープに前記第２肩テープの一部を重ねながら第２肩部を首回り部から肩端部に向かって縫製する工程とからなる肩継ぎ部の縫製方法にある。
【００１０】
本発明の第２の課題解決の手段は、前記前身頃と後身頃との積層端部に第２肩テープを斜めに挿入する工程と、前記首回りテープに前記第２肩テープの一部を重ねながら第２肩部を首回り部から肩端部に向かって縫製する際に、前記首回り端部と第２肩テープ端部を切断しながらオーバーロック縫いしてなることにある。
【００１１】
本発明の第３の課題解決の手段は、前身頃の上に第１肩テープを重ねながら肩継ぎ部が縫製された第１肩部と、首回りにテープを重ねながら１周するように縫製されバックタック縫いされた首回り部と、前記前身頃と後身頃との積層端部に第２肩テープを斜めに挿入され、前記首回りテープに前記第２肩テープの一部を重ねながら縫製された第２肩部とからなる衣類にある。
【００１２】
本発明は、上記のように構成したので、肩継ぎ部の肩継ぎテープと首回りのテープの重なりが少ないので、薄く仕上げて縫製され、ごろつきが減少し、作業工程が減少することにより従来の問題点が解消されることになったのである。
【００１３】
【発明の実施の形態】
本発明の肩継ぎ部の縫製方法及びこの縫製方法を用いた衣類を図示しながら説明する。
図１に示すように、丸編機で編成された、又は前身頃と後身頃とを脇縫いにて一体とした筒編地を首回り部１を円形に裁断する。また、首回り部１に連続して第１肩部２と第２肩部３と袖付部４，４を肩及び袖の形状に応じて裁断し、首回り部１、第１肩部２、第２肩部３、袖付部４，４で前身頃Ｆと後身頃Ｂとが分断されて開放された形状に形成される。
【００１４】
次いで、前身頃Ｆと後身頃Ｂとを編成した衣類本体Ｄを裏返しに、図３に示すように、前身頃Ｆと後身頃Ｂと積層し、前身頃Ｆの上に第１肩テープＴ１を二つ折にして重ねながら縫製する。この際、図３に示すように、二つ折にした第１肩テープＴ１の端部を切断するメスが付設されたオーバーロックミシンで縫い目から所定の幅に第１肩テープＴ１の端部を切断しながら端部をかがり縫製して包み縫いする。縫製された部分の断面は図４に示すように、前身頃Ｆと後身頃Ｂとが積層され、前身頃Ｆの上に第１肩テープＴ１を二つ折にして重ね合わされたところへ縫い目ループＬが前身頃Ｆと後身頃Ｂと第１肩テープＴ１との端部を包被するように形成される。
【００１５】
ここで、肩テープは肩継ぎ部の補強のために添える伸縮性編地からなるテープ生地からなり、通常二つ折して使用され、１本針オーバーロックミシンで縫製される。このミシンは、生地端を切断するメスが付いており、縫い目から所定の幅に生地端を切断しながら生地端を包縫いをするものである。
【００１６】
その後、図１に示すように、積層した前身頃Ｆと後身頃Ｂとを一平面上に展開し、図１に示すように、首回り部１の生地を挟んでテープＴ２を重ねながら首回りＮを１周するようにかがり縫いする。
首テープＴ２は首回り部１に添える伸縮性編地からなるテープ生地からなり、首回りのだれ防止とともに外観上のデザインを構成する。通常、首回りの生地とテープＴ２との間に芯地Ｓを介在させて使用され、図５に示すように、表側を折り重ね、または裏面とも折り重ねて、首回り身生地を挟みこんで縫着される。縫着には片面２本針ミシンが使用される。これは２本の針で縫い目を構成し、針糸による２列の縫い目ができ、裏側は縫い目間で下糸による編目ループが構成され、裏面の生地間を押え込む作用をする。重ね枚数及び折り方は、デザインや設計によって異なる。
【００１７】
次いで、首回りテープＴ２の第２肩部３の端部Ｅをバックタック縫いＢＴをする。即ち、図６に矢印で示すように、縫い始めの縫い糸端がはみ出ないように、また縫いほつれが生じないように、縫い始めを端部Ｅのやや内側から首回りテープＴ２の折り返し端部に向かって縫い、ピッチを細かくして縫い始め、折り返し端部でＵターンして縫い、首回りテープＴ２の第２肩部３の端部Ｅからはみでたテープをミシンメスによって切断しながらピッチを元に戻してかがり縫いした縫い終わりに向かって縫う。
【００１８】
ここで、図７に示すように、上記のバックタック縫いで折り返し端部でＵターンして縫い終わる直前に、前身頃Ｆと後身頃Ｂとを中心線Ｃから二つ折した積層端部に、二つ折りしたテープＴ３を縫合部に供給するガイド装置が付設されたオーバーロックミシンにより、前身頃Ｆの上に斜めに挿入し、図８に示すように、首回りテープＴ２に第２肩テープＴ３の一部を重ねながら積層端部に首回り部から肩端部に向かってかがり縫いする。そして、第２肩テープＴ３の首回りテープＴ２に一部重なった部分からはみ出た部分を切断する。この際、第２肩テープＴ３と首回りテープＴ２の重なりの範囲は、図８に示すように首回りテープＴ２の上端から２ｍｍ以上のところから首回りテープＴ２の下端までの範囲である。
【００１９】
この結果、図９に示すように、首回りのバックタック部ＢＴには第２肩テープＴ３が一部重ね合わされているが、分厚くならず、同一厚みを有する第２肩テープＴ３が第２肩継ぎ部に連続して縫合される。なお、ミシン縫いは、第２肩継ぎ部をこえて空環が生じるが、この部分は切断される。
【００２０】
【発明の効果】
以上詳述したように、請求項１，２によれば、首テープ部をバックタックにより返し縫いしながら、肩テープを自動供給して肩テープを縫製し、首テープと肩テープの残余をミシンカッターで切断するので、作業が１工程で完了し、作業能率が向上する。
【００２１】
請求項３によれば、首テープ部と肩テープとの重なりが少ないので、首回り及び肩部が薄く仕上がり、ごろつき感を減少させる衣類を提供できる。
【図面の簡単な説明】
【図１】本発明の一実施形態としての裁断された肌着を示す斜視図である。
【図２】本発明の一実施形態としての第１肩部と首回り部にテープを縫着した状態を示す斜視図である。
【図３】第１肩部にテープを重ねてテープ端を切断しながら縫製する状態を示す斜視図である。
【図４】図９のＹ−Ｙ断面図である。
【図５】図９のＸ−Ｘ断面図である。
【図６】首回りテープにバックタック縫いした状態を示す斜視図である。
【図７】バックタック縫いで折り返し端部でＵターンして縫い終わる直前に、二つ折りしたテープを前身頃Ｆの上に斜めに挿入した状態を示す斜視図である。
【図８】首回りテープに第２肩テープの一部を重ねながら肩から首回りに向かってかがり縫いした状態を示す斜視図である。
【図９】首回りテープに第２肩テープの一部を重ねながら首回りから肩端部に向かってかがり縫いした状態を示す模式図である。
【図１０】従来の第１肩部と首回り部にテープを縫着した状態を示す斜視図である。
【図１１】従来の首回りテープに第２肩継ぎ部を縫製した状態を示す斜視図である。
【図１２】従来の首回りテープに第２肩継ぎ部を折り返し縫製した状態を示す斜視図である。
【図１３】従来の第２肩継ぎ部を折り返し当て布を縫製する状態を示す斜視図である。
【図１４】従来の当て布を縫製した状態を示す斜視図である。
【符号の説明】
１　　　首回り部
２　　　第１肩部
３　　　第２肩部
４　　　袖付部
Ｆ　　　前身頃
Ｂ　　　後身頃
Ｄ　　　衣類本体
Ｔ１　　第１肩テープ
Ｓ　　　肩端部
Ｌ　　　縫い目ループ
Ｔ２　　首回りテープ
Ｎ　　　首回り
Ｓ　　　首テープの芯地
Ｅ　　　第２肩部３の端部
ＢＴ　　バックタック縫い
Ｃ　　　中心線
Ｔ３　　第２肩テープ
【図１】
2004076168.tif 000003
【図２】
2004076168.tif 000004
【図３】
2004076168.tif 000005
【図４】
2004076168.tif 000006
【図５】
2004076168.tif 000007
【図６】
2004076168.tif 000008
【図７】
2004076168.tif 000009
【図８】
2004076168.tif 000010
【図９】
2004076168.tif 000011
【図１０】
2004076168.tif 000012
【図１１】
2004076168.tif 000013
【図１２】
2004076168.tif 000014
【図１３】
2004076168.tif 000015
【図１４】
2004076168.tif 000016